(57)【要約】【課題】電気部品が搭載されているフレキシブル基板を用いて、配線ケーブルを容易に保持する。【解決手段】フレキシブル基板１０の基板本体１１の一端部１２から突出して形成された突出部２０を折り曲げることにより配線ケーブル挿通部２５を形成し、突出部２０の先端部２１をフレキシブル基板１０に固定する。【選択図】  図１
2010050305.tif 000002
【特許請求の範囲】
【請求項１】
フレキシブル基板の基板本体の一端部から突出して形成された突出部と、前記突出部を折り曲げることにより形成される配線ケーブル挿通部と、前記突出部の先端部を前記フレキシブル基板に固定する固定部とを備えることを特徴とするフレキシブル基板。
【請求項２】
請求項１に記載のフレキシブル基板において、
前記固定部は、前記突出部のうち前記基板本体と前記先端部との間に設けた固定領域で、前記先端部を前記突出部に固定することを特徴とするフレキシブル基板。
【請求項３】
フレキシブル基板の基板本体の一端部から突出して形成された突出部と、前記突出部を折り曲げることにより形成される配線ケーブル挿通部と、前記突出部の先端部を前記フレキシブル基板に固定する固定部とからなる配線ケーブル保持構造。
【請求項４】
請求項３に記載の配線ケーブル保持構造において、
前記固定部は、前記突出部のうち前記基板本体と前記先端部との間に設けた固定領域で、前記先端部を前記突出部に固定することを特徴とする配線ケーブル保持構造。
【請求項５】
フレキシブル基板の基板本体の一端部から突出して形成された突出部を折り曲げることにより配線ケーブル挿通部を形成するステップと、前記突出部の先端部を前記フレキシブル基板に固定するステップとからなる配線ケーブル保持方法。
【請求項６】
請求項５に記載の配線ケーブル保持方法において、
前記先端部を固定する際、前記突出部のうち前記基板本体と前記先端部との間に設けた固定領域で、前記先端部を前記突出部に固定することを特徴とする配線ケーブル保持方法。
【発明の詳細な説明】
【技術分野】
【０００１】
本発明は、配線ケーブル保持技術に関し、特にフレキシブル基板を用いて配線ケーブルを保持する技術に関する。
【背景技術】
【０００２】
一般に、配線ケーブル付のモジュール部品を、携帯電話やポータブルゲーム機等の携帯機器内に取り付ける際、配線ケーブル固定用の専用部品を基板上に配置して配線ケーブルを固定したり、電気回路や部品が実装された基板等を覆う筐体に配線ケーブルを固定する機構を形成して、配線ケーブルを固定する方法が取られる。
最近、携帯電話やポータブルゲーム機等の携帯機器は小型化が進み、基板上に配置できる部品数量やそのエリアが制限される傾向にあり、また、機器の薄型化が進むにつれて配線ケーブルを固定させる機構を筐体へ形成することが難しくなりつつある。
【０００３】
一方、電子カメラ等の小型の携帯機器では、アセンブリの容易性や製品コストの面からフレキシブル基板が多用されており、このフレキシブル基板を用いて配線ケーブルを固定する方法が提案されている（例えば、特許文献１など参照）。
特許文献１の配線ケーブル保持構造は、ヒンジ部で折り畳み可能に支持された可動側筐体と固定側筐体とからなる折りたたみ式携帯電話において、可動側筐体に収容されたＬＣＤ画面用基板と固定側筐体に収容されたテンキー用基板とを、ヒンジ部を介して接続するための基板接続配線用フレキシブル基板を利用して、可動側筐体に収容されたアンテナ用の同軸ケーブルや可動側筐体への電源供給用の電源ケーブルなどの配線ケーブルを保持するものである。
【０００４】
具体的には、基板接続配線用フレキシブル基板の長手方向に沿って配線ケーブルを挟み込むようにして基板接続配線用フレキシブル基板全体を折り畳むことにより、あるいは基板接続配線用フレキシブル基板の長手方向に沿って設けた複数の穴や切り欠きに配線ケーブルを通すことにより、基板接続配線用フレキシブル基板で配線ケーブルを保持するものとなっている。
【０００５】
【特許文献１】ＷＯ２００４／２７５６１３
【発明の開示】
【発明が解決しようとする課題】
【０００６】
しかしながら、このような関連技術では、基板接続配線用フレキシブル基板のように、保持する配線ケーブルの長手方向に伸延するフレキシブル基板が必要となるため、電気部品が搭載されているフレキシブル基板には適用できないという問題点があった。
本発明はこのような課題を解決するためのものであり、電気部品が搭載されているフレキシブル基板を用いて、配線ケーブルを容易に保持することが可能なフレキシブル基板、配線ケーブル保持構造、および配線ケーブル保持方法を提供することを目的としている。
【課題を解決するための手段】
【０００７】
このような目的を達成するために、本発明にかかるフレキシブル基板は、フレキシブル基板の基板本体の一端部から突出して形成された突出部と、前記突出部を折り曲げることにより形成される配線ケーブル挿通部と、前記突出部の先端部を前記フレキシブル基板に固定する固定部とを備えている。
【０００８】
また、本発明にかかる配線ケーブル保持構造は、フレキシブル基板の基板本体の一端部から突出して形成された突出部と、前記突出部を折り曲げることにより形成される配線ケーブル挿通部と、前記突出部の先端部を前記フレキシブル基板に固定する固定部とから構成されている。
【０００９】
また、本発明にかかる配線ケーブル保持方法は、フレキシブル基板の基板本体の一端部から突出して形成された突出部を折り曲げることにより配線ケーブル挿通部を形成するステップと、前記突出部の先端部を前記フレキシブル基板に固定するステップとを備えている。
【発明の効果】
【００１０】
本発明によれば、突出部を折り曲げるだけで、配線ケーブルが挿通する配線ケーブル挿通部を形成することができ、電子回路部品が搭載されているフレキシブル基板であっても、配線ケーブルを容易に保持することが可能となる。したがって、配線ケーブルを保持する際、配線ケーブルの長手方向に沿ってフレキシブル基板を伸延させる、という必要はない。このため、フレキシブル基板の形状や取付位置が限定されず、極めて自由度の高い配線ケーブル保持構造を実現することが可能となる。
【発明を実施するための最良の形態】
【００１１】
次に、本発明の実施形態について図面を参照して説明する。
［第１の実施形態］
まず、図１〜図４を参照して、本発明の第１の実施形態にかかるフレキシブル基板について説明する。図１は、本発明の第１の実施形態にかかるフレキシブル基板の概観図である。図２は、本発明の第１の実施形態にかかるフレキシブル基板の要部を示す説明図であり、図２（ａ）は平面図、図２（ｂ）は側面図である。図３は、本発明の第１の実施形態にかかるフレキシブル基板の要部（折り曲げ状態）を示す説明図であり、図３（ａ）は平面図、図３（ｂ）は側面図である。図４は、本発明の第１の実施形態にかかるフレキシブル基板による配線ケーブル保持例を示す斜視図である。
【００１２】
図１において、フレキシブル基板１０は、例えばフィルム状の絶縁体上に導体箔を形成した構造を持つＦＰＣ（Flexible printed circuits）からなり、各種の電子回路部品５１〜５４が表面実装されている。このフレキシブル基板１０には、基板本体１１の一端部１２から突出して略矩形状の突出部２０が形成されている。
【００１３】
図２に示すように、この突出部２０には、その先端部２１の表面に、両面テープ２２が貼り付けられており、突出部２０の両側部２３のそれぞれには、突出部２０の折り曲げを容易とするための切り欠き２４が形成されている。
配線ケーブル３０を保持する場合には、図３に示すように、突出部２０の先端部２１を基板本体１１の一端部１２側へ折り曲げて、フレキシブル基板１０の表面に両面テープ２２（固定部）で固定する。
【００１４】
これにより、突出部２０を折り曲げるだけで、配線ケーブル３０が挿通する配線ケーブル挿通部２５を形成することができ、電子回路部品が搭載されているフレキシブル基板であっても、配線ケーブルを容易に保持することが可能となる。したがって、前述した特許文献１の配線ケーブル保持構造のように、配線ケーブル３０を保持する際、配線ケーブル３０の長手方向に沿ってフレキシブル基板を伸延させる、という必要はない。このため、フレキシブル基板の形状や取付位置が限定されず、極めて自由度の高い配線ケーブル保持構造を実現することが可能となる。
【００１５】
また、突出部２０の先端部２１を固定する位置は、フレキシブル基板１０の基板本体１１上であってもよいが、図２および図３に示すように、突出部２０のうち、先端部２１から基板本体１１までの間に、先端部２１を取り付ける固定領域２６を形成しておき、この固定領域２６に両面テープ２２を貼り付けて先端部２１を固定してもよい。
これにより、基板本体１１上に固定領域２６を設けた場合と比較して、基板本体１１における部品実装面積を有効活用でき、特に携帯電話、ポータブルゲーム機、さらには電子カメラなど小型の電子機器で必要となる高密度実装を実現できる。
【００１６】
［第２の実施形態］
次に、図５を参照して、本発明の第２の実施形態にかかるフレキシブル基板について説明する。図５は、本発明の第２の実施形態にかかるフレキシブル基板の要部を示す説明図であり、図５（ａ）は平面図、図５（ｂ）は側面図である。
【００１７】
第１の実施形態では、両面テープ２２を用いて、突出部２０の先端部２１をフレキシブル基板１０に固定する場合を例として説明した。本実施形態では、先端部２１に設けた係止片２７を用いて先端部２１をフレキシブル基板１０に係止する場合について説明する。
【００１８】
図５に示すように、突出部２０の先端部２１には、錨形状の係止片２７（固定部）が形成されており、先端部２１から基板本体１１までの間に設けられた固定領域２６に係止穴２８（固定部）が形成されている。
配線ケーブル３０を保持する場合には、突出部２０の先端部２１を基板本体１１の一端部１２側へ折り曲げて、係止片２７を係止穴２８へ挿入して係止することにより、先端部２１を固定する。
これにより、両面テープ２２が不要となるとともに組み立て作業を簡素化でき、部品コストおよび作業コストを削減できる。
【図面の簡単な説明】
【００１９】
【図１】本発明の第１の実施形態にかかるフレキシブル基板の概観図である。
【図２】本発明の第１の実施形態にかかるフレキシブル基板の要部を示す説明図である。
【図３】本発明の第１の実施形態にかかるフレキシブル基板の要部（折り曲げ状態）を示す説明図である。
【図４】本発明の第１の実施形態にかかるフレキシブル基板による配線ケーブル保持例を示す斜視図である。
【図５】本発明の第２の実施形態にかかるフレキシブル基板の要部を示す説明図である。
【符号の説明】
【００２０】
１０…フレキシブル基板、１１…基板本体、１２…一端部、２０…突出部、２１…先端部、２２…両面テープ、２３…側部、２４…切り欠き、２５…配線ケーブル挿通部、２６…固定領域、２７…係止片、２８…係止穴、３０…配線ケーブル、５１〜５４…電子回路部品。
【図１】
2010050305.tif 000003
【図２】
2010050305.tif 000004
【図３】
2010050305.tif 000005
【図４】
2010050305.tif 000006
【図５】
2010050305.tif 000007